【事件の表示】
　特願２０００−３３６１６７「光源装置」拒絶査定不服審判事件〔平成１４年　５月１４日出願公開、特開２００２−１３６４７９〕について、次のとおり審決する。
【結　論】
　本件審判の請求は、成り立たない。
【理　由】
第１　手続の経緯
　本願は，平成１２年１１月２日の出願であって，平成１８年１０月２７日付で拒絶査定がされ，これに対し，平成１９年１月１１日に拒絶査定不服審判が請求されるとともに，同年２月７日付で手続補正がなされたものである。そして，平成２０年７月３０日付けにて前置報告書の内容について審尋したところ，それに対する回答はなかった。
　
第２　平成１９年２月７日付けの手続補正（以下，「本件補正」という）についての補正却下の決定
　［補正却下の決定の結論］
　　本件補正を却下する。
　［理由］
１　本件補正の内容
　本件補正は，特許請求の範囲を，　
「【請求項１】光伝送用のライトガイドケーブルのライトガイドコネクタ部が脱着可能に結合されるコネクタ結合部と，
　光源ランプから出射された照明光を前記コネクタ結合部に結合される前記ライトガイドコネクタ部の入射端部に集光する照明光集光部とを有する光源装置において，
　前記照明光集光部で集光される照明光の光軸と，前記ライトガイドコネクタ部の入射端部の中心軸とを一致させる方向に前記コネクタ結合部に結合される前記ライトガイドコネクタ部の入射端部を付勢する軸合わせ機構部を前記コネクタ結合部に設け，
　前記軸合わせ機構部は，前記照明光集光部で集光される照明光の光軸に対して垂直方向に前記ライトガイドコネクタ部の入射端部を押圧する押圧部材を有し，
　前記コネクタ結合部は，前記押圧部材の押圧力を調整し，前記ライトガイドコネクタ部の中心軸を前記照明光集光部で集光される照明光の光軸と一致させる方向に軸合わせした状態で保持する押圧力調整手段を有し，
　
前記コネクタ結合部は，前記ライトガイドコネクタ部の入射端部が挿入されるライトガイド挿通孔の終端位置に前記押圧調整手段により前記照明光集光部で集光される照明光の光軸と軸合わせされた前記ライトガイドコネクタ部の前記入射端部への不要な光の照射を防止するように取付けられたカバー部材を備える
　　
２　新規事項について　
　まず，本件補正により「前記コネクタ結合部は，前記ライトガイドコネクタ部の入射端部が挿入されるライトガイド挿通孔の終端位置に前記押圧調整手段により前記照明光集光部で集光される照明光の光軸と軸合わせされた前記ライトガイドコネクタ部の前記入射端部への不要な光の照射を防止するように取付けられたカバー部材を備える」との事項を追加する補正が，願書に最初に添付された明細書又は図面（以下，「当初明細書等」という。）に記載された事項の範囲内でしたものか，以下検討する。
　
（１）当初明細書等には，以下の事項が記載されている。
（1a）「【０００８】請求項２の発明は，前記軸合わせ機構部は，前記照明光集光部で集光される照明光の光軸に対して垂直方向に前記ライトガイドコネクタ部の入射端部を押圧する押圧部材を有し，この押圧部材の押圧力によって前記ライトガイドコネクタ部の中心軸を前記照明光集光部で集光される照明光の光軸と一致させる方向に軸合わせするものであることを特徴とする請求項１に記載の光源装置である。そして，本請求項２の発明では，軸合わせ機構部の押圧部材の押圧力によって照明光集光部で集光される照明光の光軸に対して垂直方向にライトガイドコネクタ部の入射端部を押圧することにより，ライトガイドコネクタ部の中心軸を照明光集光部で集光される照明光の光軸と一致させる方向に軸合わせするようにしたものである。」
　
（1b）「【００２０】また，連結部２１のライトガイド挿通孔２１ｂの周縁部位にはライトガイドコネクタ部８の入射端部８ａへの不要な光の照射を防ぐ略リング状のカバー部材２３が装着されている。このカバー部材２３には連結部２１のライトガイド挿通孔２１ｂに連通する円孔２３ａが形成されている。さらに，このカバー部材２３にはライトガイドコネクタ部８の入射端部８ａの先端部を正確に位置出しするための軸合わせ機構部２４が設けられている。」
　
（２）請求人は，審判請求書の「３．（２）補正の根拠の明示」において，「審判請求と同時に提出した手続補正書における［特許請求の範囲］の補正事項は，平成１８年９月１５日付け提出の手続補正書の［請求項２〜４，６］を削除するとともに，同手続補正書の［請求項１］に［請求項５］に記載された技術的な限定を加えたものである。これは，請求項の削除と，特許請求の範囲の減縮に相当する。さらに，審判請求と同時に提出した手続補正書における［請求項１］の補正事項は，出願当初の明細書の段落番号［００２０］および［図５］の記載に基くものである。」と主張している。
　しかしながら，上記（1b）の記載及び図５を参酌すると，本件補正により追加された「前記コネクタ結合部は，前記ライトガイドコネクタ部の入射端部が挿入されるライトガイド挿通孔の終端位置に前記ライトガイドコネクタ部の前記入射端部への不要な光の照射を防止するように取付けられたカバー部材を備える」という事項については自明であるといえるが，（1a）の記載によると，「ライトガイドコネクタ部の中心軸を前記照明光集光部で集光される照明光の光軸と一致させる方向に軸合わせする」のは，「軸合わせ機構部」が有する「押圧部材」の「押圧力」であり，「押圧調整手段」により「前記照明光集光部で集光される照明光の光軸と軸合わせされた前記ライトガイドコネクタ部」という事項については，当初明細書等に記載も示唆もされておらず，自明ともいえない。
　してみると，本件補正は，願書に最初に添付した明細書又は図面に記載した事項の範囲内においてしたものでないから，特許法第１７条の２第３項の規定に違反するので，同法第１５９条第１項において読み替えて準用する同法第５３条第１項の規定により却下すべきものである。
　
３　独立特許要件について　　
　仮に，当初明細書等の記載から「押圧調整手段により前記照明光集光部で集光される照明光の光軸と軸合わせされた前記ライトガイドコネクタ部」が自明であるとすると，本件補正は，平成１８年法律第５５号改正附則第３条第１項によりなお従前の例によるとされる同法による改正前の特許法第１７条の２第４項第２号の特許請求の範囲の減縮を目的とするものであるといえる。
　そこで，本件補正後の請求項１に係る発明（以下，「本願補正発明」という。）が，特許出願の際に独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。　
　　
　本願補正発明の「前記照明光集光部で集光される照明光の光軸と，前記ライトガイドコネクタ部の入射端部の中心軸とを一致させる方向に前記コネクタ結合部に結合される前記ライトガイドコネクタ部の入射端部を付勢する軸合わせ機構部を前記コネクタ結合部に設け，前記軸合わせ機構部は，前記照明光集光部で集光される照明光の光軸に対して垂直方向に前記ライトガイドコネクタ部の入射端部を押圧する押圧部材を有し，前記コネクタ結合部は，前記押圧部材の押圧力を調整し，前記ライトガイドコネクタ部の中心軸を前記照明光集光部で集光される照明光の光軸と一致させる方向に軸合わせした状態で保持する押圧力調整手段を有し」との記載から，ライトガイドコネクタ部の入射端部を付勢して照明光の光軸と軸合わせするのは「軸合わせ機構部」が有する「押圧部材」の「押圧力」であり，「押圧力調整手段」は「押圧部材の押圧力を調整」するものであるといえる。
　一方，本願補正発明の「前記コネクタ結合部は，前記ライトガイドコネクタ部の入射端部が挿入されるライトガイド挿通孔の終端位置に前記押圧調整手段により前記照明光集光部で集光される照明光の光軸と軸合わせされた前記ライトガイドコネクタ部の前記入射端部への不要な光の照射を防止するように取付けられたカバー部材を備える」との記載によると，ライドガイドコネクタ部の入射端部を照明光の光軸と軸合わせするのは，「押圧力調整手段」といえる。
　そうすると，本願補正発明は，ライトガイドコネクタ部の入射端部を照明光の光軸と軸合わせするための技術事項の関連が不明確であり，特許を受けようとする発明が明確でない。
　したがって，本件補正発明は，特許法第３６条第６項第２号の規定を満たしていないから，特許出願の際に独立して特許を受けることができないものである。　
　
４　まとめ　
　以上のとおりであるから，本件補正は，特許法第１７条の２第３項に規定する要件を満たしておらず，もしくは，平成１８年法律第５５号改正附則第３条第１項によりなお従前の例によるとされる同法による改正前の特許法第１７条の２第５項において準用する同法第１２６条第５項の規定に違反するので，特許法第１５９条第１項の規定において読み替えて準用する同法第５３条第１項の規定により，却下すべきものである。
　
第３　本願発明について
１　本願発明　
　本件補正は上記のとおり却下されることとなったので，本願の請求項１〜６に係る発明は，平成１８年９月１５日付けの手続補正書により補正された明細書および図面の記載からみて，特許請求の範囲の請求項１〜６に記載された事項により特定されるものであると認められ，その請求項１は次のとおりである。（以下，「本願発明」という。）　
　　
「【請求項１】光伝送用のライトガイドケーブルのライトガイドコネクタ部が脱着可能に結合されるコネクタ結合部と，
　光源ランプから出射された照明光を前記コネクタ結合部に結合される前記ライトガイドコネクタ部の入射端部に集光する照明光集光部とを有する光源装置において，
　前記照明光集光部で集光される照明光の光軸と，前記ライトガイドコネクタ部の入射端部の中心軸とを一致させる方向に前記コネクタ結合部に結合される前記ライトガイドコネクタ部の入射端部を付勢する軸合わせ機構部を前記コネクタ結合部に設け，
　前記軸合わせ機構部は，前記照明光集光部で集光される照明光の光軸に対して垂直方向に前記ライトガイドコネクタ部の入射端部を押圧する押圧部材を有し，
　前記コネクタ結合部は，前記押圧部材の押圧力を調整し，前記ライトガイドコネクタ部の中心軸を前記照明光集光部で集光される照明光の光軸と一致させる方向に軸合わせした状態で保持する押圧力調整手段を有することを特徴とする光源装置。」　
　　
２　引用例およびその記載事項　
　原査定の拒絶の理由において引用された実願昭５６−１７８２１２号（実開昭５８−８１５０８号）のマイクロフィルム（以下，「刊行物１」という。）には，図面と共に次の事項が記載されている。　
　　
（１−イ）　
「２．実用新案登録請求の範囲
（１）接続口と前記接続口に向けて光を出射する光源を設けてなり，上記接続口から光路に挿脱自在に挿入されるコネクターのライトガイドを通して光を内視鏡へ導入する内視鏡光源装置において，上記コネクターのライトガイドが挿入される光路上に，すくなくとも中心部分が複数に分割され，かつ各分割部分が中心方向に弾性的に付勢される開閉体を設けたことを特徴とする内視鏡光源装置。
（２）開閉体は接続口に設けられることを特徴とする実用新案登録請求の範囲第１項に記載の内視鏡光源装置。」（１頁４〜１６行）
　
（１−ロ）
「第１図中１は内視鏡を示し，この内視鏡１は接眼部２aを備えた操作部２に挿入部３およびライトガイドケーブル４を連結して構成されていて，接眼部２aから操作部２，挿入部３内を通じて挿入部３の先端前方を目視することができるようになっている。なお，２bは彎曲操作ノブ，２cは送気・送水操作バルブである。またライドガイドケーブル４の先端部には，ライトガイド５を有したコネクター６が設けられ，このコネクター６のライトガイド５からライトガイドケーブル４，操作部２，挿入部３内を通じて照明光を挿入部３の先端前方へ導くことができるようになっている。
　一方，このように構成された内視鏡１に照明光を送る内視鏡光源装置７としては次のようになっている。
　すなわち，図中８は光源装置７の本体で，この本体８の前面側には各種の操作スイッチ９a…を配備した前面パネル９が設けられ，さらにこの前面パネル９には接続口１０が設けられる。この接続口１０は第２図で示すように，凹部１１およびその凹部１１に連通したライトガイド挿入孔１２を設けたコネクター受け部材１３の外周部に取付環１４を外嵌してなるコネクター本体１５を前面パネル９に貫通し，さらに内側から固定環１５ａで前面パネル９上に固定して構成される。なお，１６は取付環１４の外周部に着脱自在に螺挿されたコネクター固定用の固定環である。したがって，コネクター６のライトガイド５はライトガイド挿入孔１２に挿脱自在に挿入され，またコネクター６の先端側を構成するライトガイド保持体６aは凹部１１内に挿入され，さらにコネクター６の外周部を構成するわく部材６bは固定環１６内に挿入されてコネクター６の保持が行えるようになっている。」（４頁１３行〜６頁８行）
　
（１−ハ）
「また本体８内には光源としてのランプ２２が設けられる。このランプ２２は光軸を上記ライトガイド挿入孔１２の軸心に対向させた状態で本体８内に設置されていて，ランプ２２の点灯によって発せられる光をライトガイド５が挿入される光路２３およびその光路２３上に設けた前記開閉体１８を介しライトガイド挿入孔１２に向い集光して出射することができるようになっている。すなわち，ライトガイド挿入孔１２に挿入されるライトガイド５の端面から光を内視鏡１へ導入することができるようになっている。
　そして，このように構成された光源装置７と内視鏡１を用いて内視鏡検査を行うときには，まず内視鏡１のコネクター６を接続口１０に挿入し，ついで固定環１６をねじ込み，コネクター６を固定する。これにより，ライトガイド５はライトガイド挿入孔１２に挿入される。さらに板ばね１８aの各分割部分１９…はライトガイド５の先端部で弾性に抗して，内方側へ押し拡かれそのライトガイド５の端面がランプ２２の光軸上に突出する。またこのとき，ライトガイド５は板ばね１８aの各分割部分１９…でそれぞれ軸心方向へ均等に付勢されることになり，ライトガイド５の軸心はずれることなく，さらにがたも吸収して，ランプ２２の光軸に正規に位置決め固定される。つまり位置出しが行なわれることになる。」（７頁５行〜８頁１２行）
　
（１−ニ）
「またこの考案は上述した実施例に限定されるものではなく，たとえば第４図で示すようにしてもよい。すなわち，第４図に示すものは，ライトガイド５が挿入される光路２３であるライトガイド挿入孔１２の周囲に，第５図で示す，ばね３０…で中心方向へ付勢されるたとえば均等に４分割された分割部分である押えコマ３１…を均等に配置するとともに，ライトガイド挿入孔１２の軸心方向に向ってスライド自在に設けて開閉体１８を構成するようにしたものである。なお，各押えコマ３１…の先端部は若干丸みを帯びていて，各押えコマ３１…がばね３０…で付勢されて合わさったとき，中心に隙間が形成されるようになっている。
　なお，第４図において３２…はコマ収納室，３３…はライトガイド５が挿入されたときの力を受けて各押えコマ３１…を周囲側へ導びくための案内斜面，３４は押えコマ３１…をコネクター受け部材１３に取り付けるための押え環である。
　このようにしても上述した実施例と同様の効果を奏する。」（１０頁６〜１１頁７行）
　
（１−ホ）
「またライトガイドの取付時は，開閉体の各分割部分で光路に挿入されたライトガイドを周囲から弾性的に押えるので，ライトガイドの軸がずれることなく，また分割部分でのがたの吸収と併せて位置出しを行うことができ，常に内視鏡へ十分な光量の光を送ることができる。」（１１頁１７〜１２頁３行）
　
　これらの記載事項と図面を総合すると，刊行物１には，以下の発明が記載されていると認められる。　
「接続口１０と前記接続口１０に向けて光を出射するランプ２２が設けられ，ランプ２２の点灯によって発せられる光をライトガイド挿入孔１２に向い集光して出射し，
　上記接続口１０から光路に挿脱自在に挿入されるコネクター６のライトガイド５からライトガイドケーブル４を通して光を内視鏡１へ導入する内視鏡光源装置７において，
　上記コネクター６のライトガイド５が挿入される光路２３であるライトガイド挿入孔１２の周囲に，ばね３０で中心方向へ付勢されるたとえば均等に４分割された分割部分である押えコマ３１を均等に配置するとともに，ライトガイド挿入孔１２の軸心方向に向ってスライド自在に設けた開閉体１８を接続口１０に設けた内視鏡光源装置。」（以下，「引用発明」という。）
　　                                           
３　本願発明と引用発明との対比　
１）その機能・構造からみて，引用発明の「コネクター６」，「接続口１０」が，それぞれ，本願発明の「ライトガイドコネクタ部」，「コネクタ結合部」に相当することは明らかである。また，引用発明は「ライトガイドケーブル４」を通して光を内視鏡１に導入していることから，その「ライトガイドケーブル４」は，本願発明の「光伝送用のライトガイドケーブル」に相当するといえる。
２）引用発明の「ランプ２２」，「ライトガイド５」，「内視鏡光源装置７」が，それぞれ，本願発明の「光源ランプ」，「入射端部」，「光源装置」に相当することは明らかである。また，引用発明では，「ライトガイド５」は「ライトガイド挿入孔１２」に挿入され，「ランプ２２の光はライトガイド挿入孔１２に向い集光して」いることから，引用発明の「ランプ２２が設けられ，ランプ２２の点灯によって発せられる光をライトガイド挿入孔１２に向い集光して出射し」は，本願発明の「光源ランプから出射された照明光を前記コネクタ結合部に結合される前記ライトガイドコネクタ部の入射端部に集光する照明光集光部とを有する」に相当するといえる。
３）上記（１−ホ）によれば，引用発明の「開閉体１８」は，ライトガイド５を周囲から弾性的に押さえることにより，ライトガイド５の軸がずれることなく，分割部分でのがたの吸収と併せて位置出しを行うことができるので，本願発明の「前記照明光集光部で集光される照明光の光軸と，前記ライトガイドコネクタ部の入射端部の中心軸とを一致させる方向に前記コネクタ結合部に結合される前記ライトガイドコネクタ部の入射端部を付勢する軸合わせ機構部」に相当するといえる。
４）本願明細書には「ボール２８をばね２９によって押圧することにより，ライトガイドコネクタ部８の入射端部８aの押圧力を発生する構造となっている。」（【００２２】参照。）と記載されていることから，本願発明の「押圧部材」は「ボール２８」及び「ばね２９」からなるものを含むから，引用発明の「ばね３０」及び「押えコマ３１」が，本願発明の「押圧部材」に相当するといえる。また，上記（１−ニ）の記載及び第４図，第５図から見て，引用発明の「ばね３０」及び「押えコマ３１」は，「光路２３に対して垂直方向にコネクター６のライトガイド５を押圧している」といえる。
　
　そうすると，両者は，　
（一致点）　
「光伝送用のライトガイドケーブルのライトガイドコネクタ部が脱着可能に結合されるコネクタ結合部と，
　光源ランプから出射された照明光を前記コネクタ結合部に結合される前記ライトガイドコネクタ部の入射端部に集光する照明光集光部とを有する光源装置において，
　前記照明光集光部で集光される照明光の光軸と，前記ライトガイドコネクタ部の入射端部の中心軸とを一致させる方向に前記コネクタ結合部に結合される前記ライトガイドコネクタ部の入射端部を付勢する軸合わせ機構部を前記コネクタ結合部に設け，
　前記軸合わせ機構部は，前記照明光集光部で集光される照明光の光軸に対して垂直方向に前記ライトガイドコネクタ部の入射端部を押圧する押圧部材を有する光源装置。」　
である点で一致し，以下の点で相違するといえる。　
　　
（相違点）　
　コネクタ結合部が，本願発明では，「押圧部材の押圧力を調整し，ライトガイドコネクタ部の中心軸を前記照明光集光部で集光される照明光の光軸と一致させる方向に軸合わせした状態で保持する押圧力調整手段」を有しているのに対して，引用発明では押圧力調整手段を有していない点。
　
４　相違点についての当審の判断　
　上記（１−ハ），（１−ニ）及び（１−ホ）によれば，引用発明の「開閉体１８」は，「板ばね」，「ばね３０及び押えコマ３１」の何れの場合であっても，ライトガイド５の軸心がずれることなく，さらにがたも吸収して，ランプ２２の光軸に正規に位置決め固定するために設けられたものである。
　また，ばねと押えコマ（ボールプランジャー）により物体を押圧する際に，押圧力を調整する手段を設けることは，種々の技術分野において本願出願時前周知の事項である（例えば，特開平１０−７２０９５号公報，特開平９−１１０１６号公報参照）。
　したがって，引用発明において，開閉体１８に上記周知の事項を適用して，相違点における本願発明の構成とすることは格別な困難性はなく，当業者が容易になし得る程度のことであるというべきである。
　そして，本願発明に係る効果も，引用発明及び周知の事項から予測できる範囲内であり，格別顕著なものとはいえない。
　
５　むすび
　以上のとおり，本願発明は，本願出願前に頒布された刊行物１に記載された発明および周知の事項に基づいて当業者が容易に発明をすることができたものであり，特許法第２９条第２項の規定により特許を受けることができないから，請求項２乃至請求項６に係る発明について言及するまでもなく，本願は拒絶すべきものである。　
　よって，結論のとおり審決する。